(57)【要約】【課題】接続端子に接続された外部記録装置が接続可能な録画装置であって、該録画装置の物理的構成を単純化することのできる録画装置及び設定方法を提供する。【解決手段】録画装置は、第１のファイルシステムでフォーマットされた外部記録装置または第２のファイルシステムでフォーマットされた外部記録装置が接続される接続端子と、前記接続端子に前記第１のファイルフォーマットの外部記録装置が接続されている場合、該外部記録装置を前記第２のファイルシステムにフォーマットし、該外部記録装置を録画用記録装置として設定する設定手段と、を備えている。【選択図】図３
2011101380.tif 000002
【特許請求の範囲】
【請求項１】
第１のファイルシステムでフォーマットされた外部記録装置または第２のファイルシステムでフォーマットされた外部記録装置が接続される接続端子と、
前記接続端子に前記第１のファイルフォーマットの外部記録装置が接続されている場合、該外部記録装置を前記第２のファイルシステムにフォーマットし、該外部記録装置を録画用記録装置として設定する設定手段と、
を備えることを特徴とする録画装置。
【請求項２】
前記設定手段は、前記外部記録装置を録画用記録装置として使用するか否かの選択画面を出力すること
を特徴とする請求項１に記載の録画装置。
【請求項３】
前記接続端子に前記第１のファイルフォーマットの外部記録装置が接続されている場合、該外部記録装置に記録されたファームウェア更新データを使用してファームウェアを更新するファームウェア更新手段
を更に備えることを特徴とする請求項１または２に記載の録画装置。
【請求項４】
チューナと、
前記チューナで受信して得られる映像信号を前記外部記録装置に記録する録画手段と
を更に備えることを特徴とする請求項１ないし３のいずれか１項に記載の録画装置。
【請求項５】
第１のファイルシステムでフォーマットされた外部記録装置または第２のファイルシステムでフォーマットされた外部記録装置が接続端子に接続されたことを検出し、
前記接続端子に前記第１のファイルフォーマットの外部記録装置が接続されていることが検出された場合、該外部記録装置を前記第２のファイルシステムにフォーマットし、該外部記録装置を録画用記録装置として設定すること
を特徴とする設定方法。
【発明の詳細な説明】
【技術分野】
【０００１】
この発明は、録画装置に関し、特に、外部記録装置を接続可能な録画装置に関する。
【背景技術】
【０００２】
近年、外部ストレージデバイス（外部記録装置）を、ＵＳＢ（Ｕｎｉｖｅｒｓａｌ  Ｓｅｒｉａｌ  Ｂｕｓ）ポート等の接続端子に接続可能なデジタルテレビやＨＤＤレコーダ等が普及しつつある。このようなデジタルテレビやＨＤＤレコーダでは、ＵＳＢポートに接続された外部記録装置に対して録画を行なったり、或いは外部記録装置に記録された画像データ（静止画像データ及び動画像データ）を再生したりする機能を有する。
【０００３】
ここで、外部記録装置に用いられるファイルシステムは複数考えられる（例えば、特許文献１参照）。例えば、ＦＡＴ（Ｆｉｌｅ  Ａｌｌｏｃａｔｉｏｎ  Ｔａｂｌｅ）やＸＦＳがある。ＦＡＴは、管理領域の小ささや高速アクセス性、対応する装置が多く、汎用性が高い等のメリットがあり、例えばメモリカード等の可搬性の記録媒体等に使用される。一方、ＸＦＳは安定性や信頼性に優れると共に、帯域保証等の機能もあることから、例えば録画用の記録装置等の用途に使用するのに優れている。
【先行技術文献】
【特許文献】
【０００４】
【特許文献１】特開２００４−２９５６５５号公報
【発明の概要】
【発明が解決しようとする課題】
【０００５】
しかしながら、ＦＡＴやＸＦＳ等のファイルフォーマットに応じた機能を有する装置においては、其々に対応する接続端子を持つ必要があった。例えば、ＦＡＴのファイルシステムでフォーマットされた外部記録装置に対しては、該外部記録装置に記録されたファームウェアデータを使用したファームウェアアップデートや画像データの再生を行い、ＸＦＳのファイルシステムでフォーマットされた外部記録装置に対しては番組データを記録（録画）する録画装置である場合、それぞれの機能／ファイルシステムに対して専用の接続端子を設ける必要があり、これにより、装置の大型化やコスト増大等に繋がる可能性があった。
【０００６】
そこでこの発明は、接続端子に接続された外部記録装置が接続可能な録画装置であって、該録画装置の物理的構成を単純化することのできる録画装置及び設定方法を提供することを目的とする。
【課題を解決するための手段】
【０００７】
上記の目的を達成するために、請求項１記載の発明においては、第１のファイルシステムでフォーマットされた外部記録装置または第２のファイルシステムでフォーマットされた外部記録装置が接続される接続端子と、前記接続端子に前記第１のファイルフォーマットの外部記録装置が接続されている場合、該外部記録装置を前記第２のファイルシステムにフォーマットし、該外部記録装置を録画用記録装置として設定する設定手段と、を備えることを特徴とする。
【０００８】
請求項５記載の発明においては、第１のファイルシステムでフォーマットされた外部記録装置または第２のファイルシステムでフォーマットされた外部記録装置が接続端子に接続されたことを検出し、前記接続端子に前記第１のファイルフォーマットの外部記録装置が接続されていることが検出された場合、該外部記録装置を前記第２のファイルシステムにフォーマットし、該外部記録装置を録画用記録装置として設定することを特徴とする。
【０００９】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１０】
この発明によれば、接続端子に接続された外部記録装置が接続可能な録画装置であって、該録画装置の物理的構成を単純化することのできる録画装置及び設定方法を提供することができる。
【図面の簡単な説明】
【００１１】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】デジタルテレビジョン放送受信装置１１１の処理の流れを示すフローチャート。
【図４】デジタルテレビジョン放送受信装置１１１が表示する表示画面の例を示す図。
【図５】他の実施形態に係るデジタルテレビジョン放送受信装置１１１の処理の流れを示すフローチャート。
【図６】他の実施形態に係るデジタルテレビジョン放送受信装置１１１の処理の流れを示すフローチャート。
【発明を実施するための形態】
【００１２】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１３】
デジタルテレビジョン放送受信装置１１１は、主として、薄型のキャビネット１１２と、このキャビネット１１２を起立させて支持する支持台１１３とから構成されている。そして、キャビネット１１２には、例えば液晶表示パネルやＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）表示パネル等でなる平面パネル型の映像表示器（ディスプレイ）１１４、スピーカ１１５、操作部１１６、リモートコントローラ１１７から送信される操作信号を受ける受光部１１８等が設けられている。
【００１４】
また、デジタルテレビジョン放送受信装置１１１には、例えばＳＤ（Ｓｅｃｕｒｅ  Ｄｉｇｉｔａｌ）メモリカード、ＭＭＣ（Ｍｕｌｔｉｍｅｄｉａ  Ｃａｒｄ）及びメモリスティック等の第１のメモリカード１１９が着脱可能となっており、デジタルテレビジョン放送受信装置１１１は、この第１のメモリカード１１９に対して番組や写真等の情報の記録再生を行なえる。
【００１５】
そして、このデジタルテレビジョン放送受信装置１１１には、例えば契約情報等の記録された第２のメモリカード（ＩＣカード）１２０が着脱可能となっており、デジタルテレビジョン放送受信装置１１１は、この第２のメモリカード１２０に対して情報の記録再生が行なえる。
【００１６】
更に、このデジタルテレビジョン放送受信装置１１１は、第１のＬＡＮ（Ｌｏｃａｌ  Ａｒｅａ  Ｎｅｔｗｏｒｋ）端子１２１、第２のＬＡＮ端子１２２、ＵＳＢ（Ｕｎｉｖｅｒｓａｌ  Ｓｅｒｉａｌ  Ｂｕｓ）端子１２３及びｉ．ＬＩＮＫ端子１２４を備えている。
【００１７】
このうち、第１のＬＡＮ端子１２１は、ＬＡＮ対応ＨＤＤ専用ポートとして使用されるもので、接続されたＮＡＳ（Ｎｅｔｗｏｒｋ  Ａｔｔａｃｈｅｄ  Ｓｔｏｒａｇｅ）であるＬＡＮ対応のＨＤＤ１２５に対して、イーサネット（登録商標）により情報の記録再生を行なうために使用される。
【００１８】
このように、ＬＡＮ対応ＨＤＤ専用ポートとして第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１９】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Ｄｉｇｉｔａｌ  Ｖｅｒｓａｔｉｌｅ  Ｄｉｓｋ）レコーダ１２９等の機器を接続し、これらの機器と情報伝送するために使用される。
【００２０】
なお、コンテンツサーバ１２８については、家庭内ネットワークにおいてコンテンツのサーバ機器として動作するための機能を持ち、さらにコンテンツのアクセスに必要なＵＲＩ（Ｕｎｉｆｏｒｍ  Ｒｅｓｏｕｒｃｅ  Ｉｄｅｎｔｉｆｉｅｒ）情報を提供するサービスを備えたＵＰｎＰ（Ｕｎｉｖｅｒｓａｌ  Ｐｌｕｇ  ａｎｄ  Ｐｌａｙ）対応機器として構成される。
【００２１】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２２】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２３】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２４】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２５】
ここで、デジタルテレビジョン放送受信装置１１１は、ＵＳＢ端子１２３に接続された（ハブ１３５を介して接続されているか否かを問わない）ＵＳＢ機器が、ＨＤＤ１３９等の記録装置の場合には、ファイルフォーマットに応じて異なる使用方法で該記録装置を使用することができる。より具体的には、例えば、外部記録装置であるＨＤＤ１３９がＦＡＴでフォーマットされている場合（ＦＡＴでマウントできる場合）には、該ＨＤＤ１３９に記録されているファームウェアデータを使用してファームウェアアップデートを行なったり、ＨＤＤ１３９に記録されている画像データ（静止画像データ／動画像データの両方を含む）を再生したりすることができる。
【００２６】
また、ＵＳＢ機器である外部記録装置（ＨＤＤ）１３９が、ＸＦＳでフォーマットされている場合（ＸＦＳでマウントできる場合）には、該ＨＤＤ１３９を録画用に使用することができる。より具体的には、デジタルテレビジョン放送受信装置１１１は、受信した放送番組データをＨＤＤ１３９に記録（録画）したり、ＨＤＤ１３９に記録された映像データ（録画された放送番組データ等を含む）を読み出して再生したりすることができる。
【００２７】
上記ｉ．ＬＩＮＫ端子１２４は、例えばＡＶ−ＨＤＤ１４１、Ｄ（Ｄｉｇｉｔａｌ）−ＶＨＳ（Ｖｉｄｅｏ  Ｈｏｍｅ  Ｓｙｓｔｅｍ）１４２等をシリアル接続し、これらの機器と情報伝送を行なうために使用される。
【００２８】
図２は、上記したデジタルテレビジョン放送受信装置１１１の主要な信号処理系を示している。
ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２９】
チューナ２４５ａは、制御部２６１からの制御信号により所望のチャネルの放送信号を選局し、この選局された放送信号をＰＳＫ（Ｐｈａｓｅ  Ｓｈｉｆｔ  Ｋｅｙｉｎｇ）復調器２４５ｂに出力する。
【００３０】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００３１】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデバケットすることにより得たＰＥＳ（Ｐａｃｋｅｔｉｚｅｄ  Ｅｌｅｍｅｎｔａｒｙ  Ｓｔｒｅａｍ）を信号処理部２４７内のＳＴＤバッファ２４７ｆへ出力する。
【００３２】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３３】
チューナ２５０ａは、制御部２６１からの制御信号により所望のチャネルの放送信号を選局し、この選局された放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器２５０ｂに出力する。
【００３４】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３５】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２４７内のＳＴＤバッファ２４７ｆへ出力する。
【００３６】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３７】
制御部２６１には、信号処理部２４７から、番組を取得するための各種データや電子番組ガイド（ＥＰＧ）情報、番組属性情報（番組ジャンル等）、字幕情報等（サービス情報、ＳＩやＰＳＩ）が入力されている。
【００３８】
制御部２６１は、これら入力された情報からＥＰＧや字幕を表示するための画像生成処理を行い、この生成した画像情報をグラフィック処理部２５４へ出力する。
セクション処理部２４７ｈは、ＴＳ復号器２４５ｃ／２５０ｃから入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部２６１へ出力する。
【００３９】
グラフィック処理部２５４は、（１）信号処理部２４７内のＡＶデコーダ２４７ｇから供給されるデジタルの映像信号と、（２）ＯＳＤ（Ｏｎ  Ｓｃｒｅｅｎ  Ｄｉｓｐｌａｙ）信号生成部２５７で生成されるＯＳＤ信号と、（３）データ放送による画像データと、（４）制御部２６１により生成されたＥＰＧ、字幕信号とを合成して映像信号２５８へ出力する機能を有する。
【００４０】
また、字幕放送による字幕を表示するとき、グラフィック処理部２５４は、制御部２６１からの制御による字幕情報に基づき、映像信号上に字幕情報を重畳する処理を行う。
【００４１】
グラフィック処理部２５４から出力されたデジタルの映像信号は、映像処理部２５８に供給される。この映像処理部２５８は、入力されたデジタルの映像信号を、前記映像表示機１４で表示可能なフォーマットのアナログ映像信号に変換した後、映像表示機１１４に出力して映像表示させると共に、出力端子２５９を介して外部に導出させる。
【００４２】
また、上記音声処理部２５５は、入力されたデジタルの音声信号を、前記スピーカ１１５で再生可能なフォーマットのアナログ音声信号に変換した後、スピーカ１１５に出力して音声再生させると共に、出力端子２６０を介して外部に導出させる。
【００４３】
ここで、このデジタルテレビジョン放送受信装置１１１は、上記した各種の受信動作を含むその全ての動作を制御部２６１によって統括的に制御されている。この制御部２６１は、ＣＰＵ（Ｃｅｎｔｒａｌ  Ｐｒｏｃｅｓｓｉｎｇ  Ｕｎｉｔ）等を内蔵しており、操作部１１６からの操作信号を受け、または、リモートコントローラ１１７から送出された操作信号を、受光部１１８を介して受信し、その操作内容が反映されるように各部をそれぞれ制御している。
【００４４】
この場合、制御部２６１は、主として、そのＣＰＵが実行する制御プログラムを格納したＲＯＭ（Ｒｅａｄ  Ｏｎｌｙ  Ｍｅｍｏｒｙ）２６１ａと、該ＣＰＵに作業エリアを提供するＲＡＭ（Ｒａｎｄｏｍ  Ａｃｃｅｓｓ  Ｍｅｍｏｒｙ）２６１ｂと、各種の設定情報及び制御情報等が格納される不揮発性メモリ２６１ｃとを利用している。
【００４５】
また、この制御部２６１は、カードＩ／Ｆ（Ｉｎｔｅｒｆａｃｅ）２６５を介して、第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４６】
そして、制御部２６１は、カードＩ／Ｆ２６７を介して、第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４７】
さらに、制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Ｄｙｎａｍｉｃ  Ｈｏｓｔ  Ｃｏｎｃｉｇｕｒａｔｉｏｎ  Ｐｒｏｔｏｃｏｌ）サーバ機能を有し、第１のＬＡＮ端子１２１に接続されたＬＡＮ対応のＨＤＤ１２５にＩＰ（Ｉｎｔｅｒｎｅｔ  Ｐｒｏｔｏｃｏｌ）アドレスを割り当てて制御している。
【００４８】
また、制御部２６１は、通信Ｉ／Ｆ２７０を介して第２のＬＡＮ端子１２２に接続されている。これにより、制御部２６１は、第２のＬＡＮ端子１２２に接続された各機器（図１参照）と通信Ｉ／Ｆ２７０を介して情報伝送することができる。
【００４９】
そして、制御部２６１は、ＵＳＢ  Ｉ／Ｆ２７１を介してＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００５０】
更に、制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）とｉ．ＬＩＮＫ  Ｉ／Ｆ２７２を介して情報伝送することができる。
【００５１】
また、制御部２６１は、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備える。この他、制御部２６１は、（４）録画機能２６１ｇと、（５）マウント機能２６１ｈと、（６）フォーマット機能２６１ｉと、（７）ファームウェア更新機能２６１ｊ、（８）画像再生機能２６１ｋを備えている。
【００５２】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５３】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツにアクセスするために必要なＵＲＩ情報をコンテンツサーバ１２８から取得する。
【００５４】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行なう。そして制御部２６１は、アクセス可と判断した場合にはコンテンツアクセスを許可するが、否と判断した場合には許可できない旨を映像表示機１１４にＯＳＤにより表示させる。
【００５５】
（４）制御部２６１は、録画機能２６１ｇにより、ＨＤＤ等の各種記録装置に録画する機能を有する。より具体的には、例えば、第１のＬＡＮ端子１２１に接続されるＨＤＤ１２５や、ＵＳＢ端子１２３に接続されるＨＤＤ１３９等に、信号処理部２４７から出力される、映像データ及び音声データを含む放送番組データを記録（録画）する機能を有する。このとき、録画機能２６１ｇは、ＵＳＢ端子１２３に接続されたＨＤＤ１３９のファイルフォーマットがＸＦＳである場合に、録画機能２６１ｇはＨＤＤ１３９を録画用の記録装置として使用するものとする。ＸＦＳは安定性や信頼性に優れる他、帯域保証等の機能もあり、外部記録装置であるＨＤＤ１３９に記録する場合であっても、データ転送の遅れ等による録画エラー等の発生を抑制することができるからである。また、Ｌｉｎｕｘ対応ＰＣ等の機器はＸＦＳに対応しているものが多いが、一般的には、ＸＦＳに対応している機器が少ないため、ＸＦＳ方式のＨＤＤ１３９に録画するようにした場合、他の装置からはＨＤＤ１３９にアクセスして読み書きがされる可能性が低く、録画した録画番組データを安全に守ることができるという利点もある。
【００５６】
（５）制御部２６１は、マウント機能２６１ｈにより、第１のＬＡＮ端子１２１、第２のＬＡＮ端子１２２、ＵＳＢ端子１２３、ｉ・ＬＩＮＫ端子１２４に接続された各機器をマウントする機能を有する。ここでマウントとは、外部機器を認識し、デジタルテレビジョン放送受信装置１１１から利用、制御可能な状態とすることをいうものとする。例えば、ＵＳＢ端子１２３に接続されたＨＤＤ１３９の場合には、マウント機能２６１ｈにより、ＸＳＦファイルシステムやＦＡＴファイルシステムで認識し、アクセス可能な状態（読込み／書込み可能な状態）とすることができる。
【００５７】
（６）制御部２６１は、フォーマット機能２６１ｉにより、第１のＬＡＮ端子１２１に接続されたＨＤＤ１２５やＵＳＢ端子１２３に接続されたＨＤＤ１３９といった外部記録装置を、任意のファイルシステムでフォーマットする機能を有する。ここで、フォーマットとは、例えばＸＳＦやＦＡＴ等のファイルシステムとして認識／利用可能とするための初期化（イニシャライズ）作業のことをいう。このフォーマット処理には、例えばファイルシステムの識別子やパーティション情報、ディレクトリやファイルの名前や構成情報等の初期値を記録する処理等が含まれる。
【００５８】
（７）制御部２６１は、ファームウェア更新機能２６１ｊにより、ファームウェアをアップデート（更新）する機能を実現する。このファームウェア更新機能２６１ｊによりファームウェアを更新するためのファームウェアデータは、ＴＳ復号器２４５ｃやＴＳ復号器２５０ｃで取得できるトランスポートストリームに重畳されたものであっても良いし、例えば、ＵＳＢ端子１２３に接続されるＨＤＤ１３９内に記録されたファームウェアデータであっても良い。ファームウェア更新機能２６１ｊは、ファームウェア書込みソフトを起動して図示しないファームウェア記録部へのファームウェア書込みを行い、その後、再起動することによりファームウェアを更新する。
【００５９】
（８）制御部２６１は、画像再生機能２６１ｋにより、例えば第１のメモリカード１１９や第２のメモリカード１２０、ＵＳＢ端子１２３に接続されたＨＤＤ１３９等から静止画像データや動画像データを読込み、画像を再生することができる。このとき再生可能な画像データとしては、例えばＪＰＥＧやＢＭＰ等のフォーマットの静止画像データ、ＭＰＥＧ−２等の動画像データ等が考えられる。尚、ＨＤＤ１３９から読込んで再生する対象は画像データに限らず、音声データであっても良い。しかしながら、本実施形態では、画像データを対象とするものとして説明する。
【００６０】
次に、図３を参照して、ＵＳＢ端子１２３にＨＤＤ１３９等の外部記録装置（ストレージデバイス）が接続された場合の、デジタルテレビジョン放送受信装置１１１の処理の流れを説明する。図３は、ＵＳＢ端子１２３に外部記録装置が接続された場合（検出された場合）のデジタルテレビジョン放送受信装置１１１の処理の流れを示す図である。
【００６１】
尚、図３の例ではＵＳＢ端子１２３に接続されたＨＤＤ１３９は、ファームウェアアップデート用に用いるか、或いは録画用装置（ＰＶＲ）用に用いるものとし、ＨＤＤ１３９に記録された画像データの再生については考慮しない。
【００６２】
ＵＳＢ  Ｉ／Ｆ２７１により、ＵＳＢ端子１２３へのＨＤＤ１３９（ＵＳＢストレージ機器）の接続が認識されると、制御部２６１はマウント機能２６１ｈにより、ＨＤＤ１３９のマウントを試みる（Ｓ３０１）。ここで、ＦＡＴによりマウントできた場合には（Ｓ３０２のＹｅｓ）、ファームウェア更新機能２６１ｊにより、ＨＤＤ１３９にファームウェア更新用のデータが記録されているか否かを判別する（Ｓ３０３）。もし、ＨＤＤ１３９にファームウェア更新用データが記録されている場合には（Ｓ３０３のＹｅｓ）、ファームウェア更新機能２６１ｊにより、ファームウェア更新処理を行う（Ｓ３０４）。
【００６３】
一方、Ｓ３０２において、ＦＡＴでＨＤＤ１３９をマウントできなかった場合には（Ｓ３０２のＮｏ）、制御部２６１はマウント機能２６１ｈによりＸＦＳでＨＤＤ１３９のマウントを試みる（Ｓ３０５）。ＨＤＤ１３９がＸＦＳでマウントできた場合には（Ｓ３０６のＹｅｓ）、ＨＤＤ１３９をＰＶＲ（Ｐｅｒｓｏｎａｌ  Ｖｉｄｅｏ  Ｒｅｃｏｄｅｒ）、即ち録画用の記録装置として使用するように設定する（Ｓ３０７）。記録用の記録装置として使用する場合には、録画機能２６１ｇによりＨＤＤ１３９に録画番組データが記録（録画）され、また、ＨＤＤ１３９に記録された録画番組データの読出し／再生が可能となる。
【００６４】
Ｓ３０６でＨＤＤ１３９をＸＦＳでマウントできなかった場合には（Ｓ３０６のＮｏ）、若しくはＳ３０３でＨＤＤ１３９にファームウェア更新用データが記録されていなかった場合には（Ｓ３０３のＮｏ）、フォーマット機能２６１ｉによる制御の下、ＯＳＤ信号生成部２５７は、ＨＤＤ１３９をＰＶＲ用に使用するか否かをユーザに問い合せる選択画面を出力する（Ｓ３０８）。
【００６５】
図４に、ＨＤＤ１３８を録画専用に使用するか否かを問い合わせる選択画面の例を示す。図４の例では、「ＵＳＢに接続されたハードディスクドライブを録画専用に使用しますか？」というメッセージと共に、「はい」「いいえ」をユーザが選択できるようになっている。図４の画面でユーザが「はい」を選択した場合、即ちユーザがＨＤＤ１３９を録画専用に使用する旨の指示を行なった場合には（Ｓ３０９のＹｅｓ）、制御部２６１はフォーマット機能２６１ｉによりＨＤＤ１３９をＸＦＳでフォーマットする（Ｓ３１０）。フォーマット完了後、該ＨＤＤ１３９に対してマウント機能２６１ｈによりＸＦＳでマウント処理を行い（Ｓ３１１）、ＨＤＤ１３９をＰＶＲ用として使用する（Ｓ３０７）。
【００６６】
図４の画面（録画専用に使用するか否かの選択画面）で「いいえ」を選択した場合、即ちユーザがＨＤＤ１３９を録画専用には使用しない旨の指示を行なった場合には（Ｓ３０９のＮｏ）、フォーマット機能２６１ｉは何も行なわない。ＨＤＤ３０６は、ＦＡＴでもＸＦＳでもマウントできてないので、ＨＤＤ１３９は非使用状態となる（Ｓ３１２）。
【００６７】
非使用設定後であっても、ユーザはメニュー画面から、図４に示したような、ＨＤＤ１３８を録画用に使用するか否かの選択画面を表示させることができる。非使用設定後、ユーザがメニュー画面から設定画面（録画専用に使用するか否かの選択画面）を呼び出した場合には（Ｓ３１３のＹｅｓ）、Ｓ３０８に処理を戻してＯＳＤ信号生成部２５７は図４に例を示した録画専用に使用するか否かの選択画面を出力する。
【００６８】
上記図３の例では、ＵＳＢ端子１２３に接続されたＨＤＤ１３９に記録された画像データの再生については考慮していなかったが、次に、ＨＤＤ１３９に記録された画像データの再生も行なう場合の処理の流れについて図５を参照しながら説明する。尚、下記の説明において、図３と同様の部分については、説明を省略する場合がある。
【００６９】
ＵＳＢ  Ｉ／Ｆ２７１により、ＵＳＢ端子１２３へのＨＤＤ１３９（ＵＳＢストレージ機器）の接続が認識されると、制御部２６１は、マウント機能２６１ｈにより、ＨＤＤ１３９のマウントを試みる（Ｓ５０１）。ここで、ＦＡＴによりマウントできた場合には（Ｓ５０２のＹｅｓ）、ファームウェア更新機能２６１ｊにより、ＨＤＤ１３９にファームウェア更新用のデータが記録されているか否かを判別する（Ｓ５０３）。もし、ＨＤＤ１３９にファームウェア更新用のデータが記録されている場合には（Ｓ５０３のＹｅｓ）、ファームウェア更新機能２６１ｊにより、ファームウェア更新処理を行う（Ｓ５０４）。
【００７０】
Ｓ５０３でＨＤＤ１３９にファームウェア更新用のデータが記録されていない場合には（Ｓ５０３のＮｏ）、ＨＤＤ１３９に画像データが記録されているか否かを判別する（Ｓ５０５）。ここで、画像データが記録されているか否かの判別方法としては、例えば「ｊｐｇ」「ｂｍｐ」「ｍｐｇ」等の拡張子がついたデータが記録されているか否かにより判別することが出来る。もし、ＨＤＤ１３９に画像データが記録されている場合には（Ｓ５０５のＹｅｓ）、制御部２６１の画像再生機能２６１ｋによる該画像データの再生用にＨＤＤ１３９を設定する（Ｓ５０６）。
【００７１】
ＨＤＤ１３９を画像データの再生用に設定した後であっても、ユーザは、メニュー画面から、図４に示したような、ＨＤＤ１３８を録画用に使用するか否かの選択画面を表示させることが出来る。画像データの再生用に設定した後、ユーザがメニュー画面から設定画面（録画専用に使用するか否かの選択画面）を呼び出した場合には（Ｓ５０７のＹｅｓ）、Ｓ５１１に進み、ＯＳＤ信号生成部２５７は図４に例を示した録画専用に使用するか否かの選択画面を出力する。
【００７２】
一方、Ｓ５０２でＦＡＴによりＨＤＤ１３９をマウントできなかった場合には（Ｓ５０２のＮｏ）、制御部２６１はマウント機能２６１ｈによりＸＦＳでＨＤＤ１３９のマウントを試みる（Ｓ５０８）。ＨＤＤ１３９がＸＦＳでマウントできた場合には（Ｓ５０９のＹｅｓ）、ＨＤＤ１３９をＰＶＲ、即ち録画用の記録装置として使用するように設定する（Ｓ５１１）。
【００７３】
Ｓ５０９でＨＤＤ１３９をＸＦＳでマウントできなかった場合（Ｓ５０９のＮｏ）、若しくはＳ５０５でＨＤＤ１３９に画像データが記録されていなかった場合には（Ｓ５０５のＮｏ）、フォーマット機能２６１ｉによる制御の下、ＯＳＤ信号生成部２５７は、ＨＤＤ１３８をＰＶＲ用に使用するか否かをユーザに問い合わせる、図４に例を示した選択画面を出力する（Ｓ５１１）。
【００７４】
図４に例を示した選択画面で、ユーザがＨＤＤ１３９を録画専用に使用する旨の指示を行なった場合には（Ｓ５１２のＹｅｓ）、制御部２６１はフォーマット機能２６１ｉによりＨＤＤ１３９をＸＦＳでフォーマットする（Ｓ５１３）。フォーマット完了後、該ＨＤＤ１３９に対してマウント機能２６１ｈによりＸＦＳでマウント処理を行い（Ｓ５１４）、ＨＤＤ１３９をＰＶＲ用として使用する（Ｓ５１０）。
【００７５】
図４に例を示した選択画面で、ユーザがＨＤＤ１３９を録画専用に使用しない旨の指示を行なった場合には（Ｓ５１２のＮｏ）、フォーマット機能２６１ｉは何も行なわない。これにより、ＨＤＤ１３９は非使用状態となる（Ｓ５１５）。
【００７６】
非使用設定後であっても、ユーザはメニュー画面から、図４に例を示した、ＨＤＤ１３８を録画用に使用するか否かの選択画面を表示させることができる。非使用設定後、ユーザがメニュー画面から設定画面（録画専用に使用するか否かの選択画面）を呼び出した場合には（Ｓ５１６のＹｅｓ）、Ｓ５１１に処理を戻してＯＳＤ信号生成部２５７は図４に例を示した、ＨＤＤ１３８を録画専用に使用するか否かの選択画面を出力する。
【００７７】
続いて、ＵＳＢ端子１２３に接続されたＨＤＤ１３９に記録されたファームウェア更新用データのアップデートについて考慮しない場合について、図６を参照しながら説明する。下記の説明において、図３及び図５と同様の部分については、説明を省略する場合がある。
【００７８】
ＵＳＢ  Ｉ／Ｆ２７１により、ＵＳＢ端子１２３へのＨＤＤ１３９（ＵＳＢストレージ機器）の接続が認識されると、制御部２６１はマウント機能２６１ｈにより、ＨＤＤ１３９のマウントを試みる（Ｓ６０１）。ここで、ＦＡＴによりマウントできた場合には（Ｓ６０２のＹｅｓ）、ＨＤＤ１３９に画像データが記録されているか否かを判別する（Ｓ６０３）。もし、ＨＤＤ１３９に画像データが記録されている場合には（Ｓ６０３のＹｅｓ）、制御部２６１の画像再生機能２６１ｋによる該画像データの再生用にＨＤＤ１３９を設定する（Ｓ６０４）。
【００７９】
ＨＤＤ１３９を画像データの再生用に設定した後であっても、ユーザは、メニュー画面から、図４に示したような、ＨＤＤ１３８を録画用に使用するか否かの選択画面を表示させることができる。画像データの再生用に設定した後、ユーザがメニュー画面から設定画面（録画専用に使用するか否かの選択画面）を呼び出した場合には（Ｓ６０５のＹｅｓ）、Ｓ６０９へ進み、ＯＳＤ信号生成部２５７は図４に例を示した録画専用に使用するか否かの選択画面を出力する。
【００８０】
一方、Ｓ６０２でＦＡＴによりＨＤＤ１３９をマウントできなかった場合には（Ｓ６０２のＮｏ）、制御部２６１はマウント機能２６１ｈによりＸＦＳでＨＤＤ１３９のマウントを試みる（Ｓ６０６）。ＨＤＤ１３９がＸＦＳでマウントできた場合には（Ｓ６０７のＹｅｓ）、ＨＤＤ１３９をＰＶＲ、即ち録画用の記録装置として使用するように設定する（Ｓ６０８）。
【００８１】
Ｓ６０７でＨＤＤ１３９をＸＦＳでマウントできなかった場合（Ｓ６０７のＮｏ）、若しくはＳ６０３でＨＤＤ１３９に画像データが記録されていなかった場合には（Ｓ６０３のＮｏ）、フォーマット機能２６１ｉによる制御の下、ＯＳＤ信号生成部２５７は、ＨＤＤ１３８をＰＶＲ用に使用するか否かをユーザに問い合わせる、図４に例を示した選択画面を出力する（Ｓ６０９）。
【００８２】
図４に例を示した選択画面で、ユーザがＨＤＤ１３９を録画専用に使用する旨の指示を行なった場合には（Ｓ６１０のＮｏ）、制御部２６１はフォーマット機能２６１ｉによりＨＤＤ１３９をＸＦＳでフォーマットする（Ｓ６１１）。フォーマット完了後、該ＨＤＤ１３９に対してマウント機能２６１ｈによりＸＦＳでマウント処理を行い（Ｓ６１２）、ＨＤＤ１３９をＰＶＲ用として使用する（Ｓ６０８）。
【００８３】
図４に例を示した選択画面で、ユーザがＨＤＤ１３９を録画専用に使用しない旨の指示を行なった場合には（Ｓ６１０のＮｏ）、フォーマット機能２６１ｉは何も行なわない（Ｓ６１３）。これにより、ＨＤＤ１３９は非使用状態となる（Ｓ６１３）。
【００８４】
非使用設定後であっても、ユーザはメニュー画面から、図４に例を示した、ＨＤＤ１３８を録画用に使用するか否かの選択画面を表示させることができる。非使用設定後、ユーザがメニュー画面から設定画面（録画専用に使用するか否かの選択画面）を呼び出した場合には（Ｓ６１４のＹｅｓ）、Ｓ６０９に処理を戻してＯＳＤ信号生成部２５７は図４に例を示した、ＨＤＤ１３８を録画専用に使用するか否かの選択画面を出力する。
【００８５】
以上説明した通り、本実施形態によれば、ＵＳＢ端子１２３に接続された外部記録装置であるＨＤＤ１３９のファイルフォーマットに応じて、ＨＤＤ１３９の使用用途を切り換えるようにしている。これにより、ＵＳＢ端子１２３に接続された外部記録装置を、各ファイルフォーマットに適した複数の用途（本実施例では、例えば録画用の記録装置、画像再生用の記録装置、若しくはファームウェアアップデート用の記録装置）に使用することが可能となる。
【００８６】
また、１のＵＳＢ端子１２３に接続された外部記録装置を複数の用途に使用することができるため、其々の機能に専用のＵＳＢ端子を設ける場合に比べて物理的構成を単純化することが出来る。これにより、コストの増大や装置の大型化を抑制すると共に、ユーザがどの機能を使用する場合にどの端子に接続すればよいかについて考慮する必要がなくなる。
【００８７】
更に、一度ＨＤＤ１３９に対して非使用設定や画像再生用等の用途に設定したとしても、再度、録画用の記録装置として使用できるような画面を表示することができる。これにより、ユーザは希望に応じて、ＨＤＤ１３９の用途を随時定めることが出来るようになる。
【００８８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８９】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４１…Ｄ−ＶＨＳ。
【図１】
2011101380.tif 000003
【図２】
2011101380.tif 000004
【図３】
2011101380.tif 000005
【図４】
2011101380.tif 000006
【図５】
2011101380.tif 000007
【図６】
2011101380.tif 000008